(57)【要約】      （修正有）【課題】使用勝手が良好な洗顔用の泡立て具を提供する。【解決手段】網目で構成した泡立て部材１と、繊維の太さが１デニール以下の細い繊維で構成した繊維布２とを一体化し、石鹸、洗顔クリーム又は洗顔料等を泡立て部材１に付着させて、泡立て部材１を手で揉むことにより細かな泡を形成した後、この細かな泡を顔又は繊維布２に移行させ、繊維布２を顔に当接させて顔の毛穴等を洗顔することができ、洗顔用の泡立て具Ａの泡立て部材１と繊維布２を同時に洗うことができると共に、収納も同時に、フックに掛けて行うことができ、使用勝手が良好な洗顔用の泡立て具Ａを得ることができる。【選択図】図１
0003135905.tif 000002
【実用新案登録請求の範囲】
【請求項１】
網目で構成した泡立て部材と、
繊維の太さが１デニール以下の細い繊維で構成した繊維布と、
この繊維布と前記泡立て部材とを一体化した
ことを特徴とする洗顔用の泡立て具。 
【請求項２】
泡立て部材と繊維布は、対向する位置関係にあって、前記泡立て部材と前記繊維布の端部を重ね、該重ねた部位の周囲を結束部材で結束して、前記繊維布と前記泡立て部材とを一体化する
ことを特徴とする請求項１記載の洗顔用の泡立て具。 
【請求項３】
泡立て部材と繊維布は、対向する位置関係にあって、前記泡立て部材と前記繊維布の端部を重ね、該重ねた部位の周囲を結束部材で結束して、前記繊維布と前記泡立て部材とを一体化し、
前記繊維布は、前記繊維布の幅に対して前記繊維布の長さが長い長手形状であり、
前記繊維布の前記結束部材の結束部位に近い側の端部より遠い側の前記繊維布の端部の近い位置に、指が挿入できる袋部が形成されている
ことを特徴とする請求項１記載の洗顔用の泡立て具。 
【請求項４】
泡立て部材と繊維布は、対向する位置関係にあって、前記泡立て部材と前記繊維布の端部を重ね、該重ねた部位の周囲を結束部材で結束して、前記繊維布と前記泡立て部材とを一体化し、
前記繊維布は、前記繊維布の幅に対して前記繊維布の長さが長い長手形状であり、
前記繊維布の前記結束部材の結束部位に近い側の端部より遠い側の前記繊維布の端部は、前記泡立て部材の前記結束部材の結束部位に近い側の端部より遠い側の前記泡立て部材の端部より上位に位置し、
前記繊維布の前記結束部材の結束部位に近い側の端部より遠い側の前記繊維布の端部の近い位置に、指が挿入できる袋部が形成されている
ことを特徴とする請求項１記載の洗顔用の泡立て具。 
【請求項５】
結束部材は紐であり、前記紐を略中央の部位で折り返され、
泡立て部材と繊維布の端部をそれぞれ重ね、該重ねた部位の周囲を前記紐の折り返した部位より遠い前記紐の部位で、巻き付けて前記泡立て部材と前記繊維布の端部を結束する
ことを特徴とする請求項２〜４のいずれか１項に記載の洗顔用の泡立て具。 
【考案の詳細な説明】
【技術分野】
【０００１】
本考案は、洗顔用の泡立て具に係り、特に、使用勝手が良好な洗顔用の泡立て具に関する。
【背景技術】
【０００２】
従来、液体洗剤や固形洗剤などの洗顔料を使用してメイク落としや洗顔をするときに洗剤をきめ細かい気泡を多く含んだ状態に泡立たせることが出来る洗顔用泡立て具が知られている（例えば、特許文献１参照。）。
また、一方、洗顔時に使用する極細繊維からなる洗顔用クロスも知られている（例えば、特許文献２参照。）。
【特許文献１】特許３５３２４７９号公報
【特許文献２】特開２００５−８７６８１号公報
【０００３】
従って、洗顔用泡立て具で、洗剤をきめ細かい気泡を多く含んだ状態に泡立たせた後、極細繊維からなる洗顔用クロスを使用したい時、近くに、該洗顔用クロスがない場合、不便であるし、逆に、極細繊維からなる洗顔用クロスが近くにあって、洗顔用泡立て具がない場合、不便であるという問題点が生じた。
【考案の開示】
【考案が解決しようとする課題】
【０００４】
本考案は、前記した問題点を解決するためになされた洗顔用の泡立て具を提供することを目的としている。
本考案の第１の目的は、極細繊維からなる繊維布と泡立て部材とを一体化した洗顔用の泡立て具を提供することにある。
本考案の第２の目的は、一体化に当たって簡易な手段を提供することにある。
本考案の第３の目的は、一体化した極細繊維からなる繊維布に工夫を凝らした洗顔用の泡立て具を提供することにある。
【課題を解決するための手段】
【０００５】
前記した目的を達成するための請求項１記載の洗顔用の泡立て具は、網目で構成した泡立て部材と、繊維の太さが１デニール以下の細い繊維で構成した繊維布と、この繊維布と前記泡立て部材とを一体化したものである。
【０００６】
また、請求項２記載の洗顔用の泡立て具は、請求項１記載の洗顔用の泡立て具において、泡立て部材と繊維布は、対向する位置関係にあって、前記泡立て部材と前記繊維布の端部を重ね、該重ねた部位の周囲を結束部材で結束して、前記繊維布と前記泡立て部材とを一体化するものである。
【０００７】
また、請求項３記載の洗顔用の泡立て具は、請求項１記載の洗顔用の泡立て具において、泡立て部材と繊維布は、対向する位置関係にあって、前記泡立て部材と前記繊維布の端部を重ね、該重ねた部位の周囲を結束部材で結束して、前記繊維布と前記泡立て部材とを一体化し、前記繊維布は、前記繊維布の幅に対して前記繊維布の長さが長い長手形状であり、前記繊維布の前記結束部材の結束部位に近い側の端部より遠い側の前記繊維布の端部の近い位置に、指が挿入できる袋部が形成されているものである。
【０００８】
また、請求項４記載の洗顔用の泡立て具は、請求項１記載の洗顔用の泡立て具において、泡立て部材と繊維布は、対向する位置関係にあって、前記泡立て部材と前記繊維布の端部を重ね、該重ねた部位の周囲を結束部材で結束して、前記繊維布と前記泡立て部材とを一体化し、前記繊維布は、前記繊維布の幅に対して前記繊維布の長さが長い長手形状であり、前記繊維布の前記結束部材の結束部位に近い側の端部より遠い側の前記繊維布の端部は、前記泡立て部材の前記結束部材の結束部位に近い側の端部より遠い側の前記泡立て部材の端部より上位に位置し、前記繊維布の前記結束部材の結束部位に近い側の端部より遠い側の前記繊維布の端部の近い位置に、指が挿入できる袋部が形成されているものである。
【０００９】
また、請求項５記載の洗顔用の泡立て具は、請求項２〜４のいずれか１項に記載の洗顔用の泡立て具において、結束部材は紐であり、前記紐を略中央の部位で折り返され、泡立て部材と繊維布の端部をそれぞれ重ね、該重ねた部位の周囲を前記紐の折り返した部位より遠い前記紐の部位で、巻き付けて前記泡立て部材と前記繊維布の端部を結束するものである。
【考案の効果】
【００１０】
請求項１記載の洗顔用の泡立て具によれば、網目で構成した泡立て部材と、繊維の太さが１デニール以下の細い繊維で構成した繊維布とを一体化したため、石鹸、洗顔クリーム又は洗顔料等を泡立て部材に付着させて、該泡立て部材を手で揉むことにより細かな泡を形成した後、この細かな泡を顔又は繊維布に移行させ、その後、前記繊維布を顔に当接させて顔の毛穴等を洗顔することができ、しかも、洗顔後、泡立て部材と繊維布を同時に洗うことができると共に、収納も同時に行うことができ、使用勝手が良好な洗顔用の泡立て具を得ることができる。
【００１１】
また、請求項２記載の洗顔用の泡立て具によれば、上述した請求項１記載の考案の効果に加え、泡立て部材と繊維布の端部を重ね、該重ねた部位の周囲を結束部材で結束して、前記繊維布と前記泡立て部材とを一体化するため、結束部材により繊維布と泡立て部材とを簡易且つ迅速に一体化でき、また、前記泡立て部材と前記繊維布は、対向する位置関係にあるため、泡立て部材で泡立てた泡を繊維布に容易に移行させて、洗顔することができ、しかも、繊維布で洗顔する際、泡立て部材を手で保持する部位として利用でき、繊維布の量を小さくすることができる。
【００１２】
また、請求項３記載の洗顔用の泡立て具によれば、上述した請求項１及び請求項２記載の考案の効果に加え、繊維布の結束部材の結束部位に近い側の端部より遠い側の前記繊維布の端部の近い位置に、指が挿入できる袋部が形成されているため、泡立て部材で泡立てた泡を繊維布に容易に移行させて、袋部に指を挿入して、小さい繊維布でも効率良く洗顔することができる。
【００１３】
また、請求項４記載の洗顔用の泡立て具によれば、上述した請求項１〜請求項３記載の考案の効果に加え、繊維布で洗顔する際、泡立て部材を手で保持する部位として利用できるため、繊維布の結束部材の結束部位より遠い側の前記繊維布の端部は、泡立て部材の前記結束部材の結束部位より遠い側の前記泡立て部材の端部より上位に位置するようにして、小さい繊維布でも効率良く洗顔することができる。
【００１４】
また、請求項５記載の洗顔用の泡立て具によれば、上述した請求項１〜４記載の考案の効果に加え、結束部材は紐であり、前記紐を略中央の部位で折り返され、泡立て部材と繊維布の端部をそれぞれ重ね、該重ねた部位の周囲を前記紐の折り返した部位より遠い前記紐の部位で、巻き付けて前記泡立て部材と前記繊維布の端部を結束するため、紐により繊維布と泡立て部材とを簡易且つ迅速に一体化できると共に、前記紐は、折り返した紐の略中央の部位をフック等に引っ掛けて吊す吊り紐として利用することもできる。
【考案を実施するための最良の形態】
【００１５】
本考案の一実施例を図面を参照して説明する。
図１〜図６において、Ａは洗顔用の泡立て具で、洗顔用の泡立て具Ａは、網目で構成した泡立て部材（泡立てネット）１と、繊維の太さが１デニール以下の細い繊維で構成した繊維布（マイクロファイバークロス）２とを有し、この繊維布２と泡立て部材１とは一体化されている。
【００１６】
泡立て部材１は、 泡立て部材１に石鹸、洗顔クリーム又は洗顔料等を付着させ、泡立て部材１を手で揉むことにより洗浄効果が高く、肌にやさしいといわれている細かな泡を形成する周知のもので、図示のように袋状になっていても良いし、また、図示しないが筒状になっていても良し、また、図示しないが裾が広がるスカート状になっていても良い。
【００１７】
繊維布２は、極細の繊維で汚れやホコリをかき取るように、繊維の太さが１デニール以下の細い繊維で構成され、泡立て部材１による細かな泡と相俟って毛穴の汚れ取りまで行うようにするものである。
【００１８】
従って、上述した洗顔用の泡立て具Ａによれば、網目で構成した泡立て部材１と、繊維の太さが１デニール以下の細い繊維で構成した繊維布２とを一体化したため、石鹸、洗顔クリーム又は洗顔料等を泡立て部材１に付着させて、該泡立て部材１を手で揉むことにより細かな泡を形成した後、この細かな泡を顔又は繊維布２に移行させ、その後、図３に示すように、繊維布２を顔に当接させて顔の毛穴等を洗顔することができ、しかも、洗顔後、図５に示すように、洗顔用の泡立て具Ａの泡立て部材１と繊維布２を同時に洗うことができると共に、収納も同時に、例えば、図６に示すように、フック３に掛けて、行うことができ、使用勝手が良好な洗顔用の泡立て具Ａを得ることができる。
【００１９】
なお、上述した繊維布２と泡立て部材１との一体化は、例えば、図２に示すように、泡立て部材１と繊維布２は、対向する位置関係にあって、泡立て部材１と繊維布２の端部１ａ、２ａを重ね、該重ねた部位の周囲を結束部材（例えば、紐４、紐４とは異なる他の図示しない部材等）４で結束するようにしている。
【００２０】
その結果、結束部材４により繊維布２と泡立て部材１とを簡易且つ迅速に一体化でき、また、泡立て部材１と繊維布２は、対向する位置関係にあるため、泡立て部材１で泡立てた泡を繊維布２に容易に移行させて、洗顔することができ、しかも、図４に示すように、繊維布２で洗顔する際、泡立て部材１を手で保持する部位として利用でき、繊維布２の量を小さくすることができる。
【００２１】
また、上述した繊維布２は、図１に示すように、繊維布２の幅Ｗに対して繊維布２の長さＬが長い長手形状であり、繊維布２の結束部材４の結束部位４ａ（図２参照）に近い側の端部２ａより遠い側の繊維布２の端部２ｂの近い位置にあって、繊維布２の表の側（又は、繊維布２の裏の側）に、指が挿入できる袋部２Ａが形成されている。
その結果、泡立て部材１で泡立てた泡を繊維布２に容易に移行させて、袋部２Ａに指を挿入して、小さい繊維布２でも効率良く洗顔することができる。
【００２２】
また、繊維布２の結束部材４の結束部位４ａに近い側の端部２ａより遠い側の繊維布２の端部２ｂは、図１に示すように、泡立て部材１の結束部材４の結束部位４ａに近い側の端部１ａより遠い側の泡立て部材１の端部１ｂより上位に位置して、繊維布２の長さが短くても、繊維布２で洗顔する際、図３及び図４に示すように、泡立て部材１を手で保持する部位として利用できるため、支障を生じない。
【００２３】
また、上述した結束部材４は、例えば、紐（又は紐４とは異なる他の図示しない部材等）であり、この紐４を略中央の部位４ｂ（図１及び図２参照）で折り返され、泡立て部材１と繊維布２の端部１ａ、２ａをそれぞれ重ね、該重ねた部位の周囲を紐４の折り返した部位４ｂより遠い紐４の部位４ａで、巻き付けて泡立て部材１と繊維布２の端部１ａ、２ａを結束している。
この折り返した紐４の略中央の部位４ａをフック３（図６参照）等に引っ掛けて吊す吊り紐として利用することもできる。なお、５は、結束部材４の結束部位４ａを覆うように形成された覆い部（ループエンド）である。
【図面の簡単な説明】
【００２４】
【図１】図１は、本考案の一実施例の洗顔用の泡立て具の概略的斜視図である。
【図２】図２は、図１の洗顔用の泡立て具の覆い部を上方に移動させた状態の概略的斜視図である。
【図３】図３は、図１の洗顔用の泡立て具の使用状態の概略的斜視図である。
【図４】図４は、図３の洗顔用の泡立て具を手の裏側から見た概略的斜視図である。
【図５】図５は、図１の洗顔用の泡立て具を洗浄する状態の概略的斜視図である。
【図６】図６は、図１の洗顔用の泡立て具の収納状態の概略的斜視図である。
【符号の説明】
【００２５】
Ａ    顔用の泡立て具
１    泡立て部材
２    繊維布
【図１】
0003135905.tif 000003
【図２】
0003135905.tif 000004
【図３】
0003135905.tif 000005
【図４】
0003135905.tif 000006
【図５】
0003135905.tif 000007
【図６】
0003135905.tif 000008